(57)【特許請求の範囲】
【請求項１】
上部デッキボードが天板と天板の下面に設けた補強リブとからなり、フォーク差込口に面する少なくとも上部デッキボードの下面であって、デッキボード端縁と端縁に平行な横リブとの間に粘着テープを貼着するテープ貼着部を設けたことを特徴とするプラスチック製パレット。
【請求項２】
前記テープ貼着部の貼着面が上部デッキボードの天板とほぼ平行な水平面に形成されていることを特徴とする請求項１記載のプラスチック製パレット。
【請求項３】
前記テープ貼着部の貼着面が上部デッキボードの天板に対して上部デッキボード端縁部の傾斜面と同じかまたは小さな角度の傾斜面で形成されていることを特徴とする請求項１記載のプラスチック製パレット。
【請求項４】
前記テープ貼着部がリブにより形成されていることを特徴とする請求項１〜３のいずれか１項に記載のプラスチック製パレット。
【請求項５】
一方向の側面に平行な端部支柱部及びその中間に設けた中間支柱部を有する二方向からフォークの差し込みが可能な二方差しパレットであって、フォーク差込口に面する少なくとも上部デッキボードの端縁と端縁に平行な横リブとの間に粘着テープを貼着するテープ貼着部を設けるとともに、上部デッキボードの上面に開口する手掛け孔を設けたことを特徴とするプラスチック製パレット。
【請求項６】
前記手掛け孔が端部支柱部を貫通する透孔によって形成されていることを特徴とする請求項５記載のプラスチック製パレット。
【発明の詳細な説明】
【０００１】
【発明の属する技術分野】
この発明は荷物の保管、運搬の際に使用するフォークリフト用のプラスチック製パレットに関する。
【０００２】
【従来の技術】
従来、荷物の保管、運搬用のプラスチック製パレットは、荷物を載置してフォーク差込口にフォークリフトのフォークを挿入して持ち上げ、移動されるが、荷物は直接パレットの上に載置される場合と、荷物の汚れ、損傷を防止するために敷物を敷いてその上に載置する場合とがある。例えば、図９に示すように、アルミ缶の蓋を保管、運搬するには、円盤状の蓋１を多数並べて密着させ、これを包装紙で包み込んで棒状体２としたものをパレット３に積み重ねて保管、運搬されるが、アルミ缶の蓋１を保護するために、敷物としてパレット３にダンボール紙４を敷いてその上に載置される。
【０００３】
前記ダンボール紙４は、ダンボール紙自体のズレを防止するとともに、ダンボール紙のズレによって荷崩れが生じないようにするために粘着テープ５によりパレット３に固定される。粘着テープ５は、図示するように、一端をダンボール紙４の上面に貼着し、他端をパレット３のフォーク差込口６における上部デッキボード７の下面に巻き込んで貼着される。
【０００４】
【発明が解決しようとする課題】
従来のプラスチック製パレットは、強度を増大するために上部デッキボード７の下面にパレットの側面に対して平行方向及び直交方向、あるいは斜め方向に補強リブが形成されている。したがって、上部デッキボードの上面は平面であるものの、下面はリブ構造となっており、粘着テープ５を貼着する構造については何ら考慮されていない。このために、粘着テープ５は、間隔の広い補強リブの下面に貼着されることになり、貼着面積が狭いから十分な貼着力が得られず剥がれやすいという問題があった。また、粘着テープ５は、フォークリフトのフォークが当接する面に貼着されているから、フォークを出し入れする際にフォークが当接して剥がれるという問題があった。
【０００５】
また、パレットを積み重ねる場合には、パレットの端面を揃えたり、次に使用する際にフォークを挿入し易くするためにフォーク差込口の方向を変えたりする手作業が行われる。このような作業はフォーク差込口に手を差し込んでデッキボードの内面に設けたリブや支柱部に手をかけて行われるが、二方差しタイプの場合には一方向にはフォーク差込口がないから手をかけることができない。このために、二方差しタイプにおいても手をかけることができるように、フォーク差込方向に沿って配置された複数本の桁のうち両端に位置する端桁の側板部に把手部を設けたパレットが提案されている（特開平８−１３３２８６号公報）。前記パレットでは、作業性、操作性が向上するものの次のような問題がある。
【０００６】
前記把手部は側板部の表面に開口する凹状を形成してなるものであるから、手を差し込むことにより持ち上げたり引きずって移動させたりすることができるものの、側板部が壁面に当接している場合や、側板部同士が当接している場合など手を差し込むことができないから、前記把手部を使用することはできない。また、デッキボード面に透孔が形成されているパレットでも、透孔が小さくて指が入らないとか、指が入っても当たりが悪く安全に作業することができない等の問題がある。
【０００７】
そこで、この発明は上記問題を解決し、粘着テープの粘着力を十分保持できるとともに、フォークが当接することがない粘着テープのテープ貼着部と、デッキボードの上面から手を差し込むことができる手掛け孔を設けたプラスチック製パレットを提供するものである。
【０００８】
【課題を解決するための手段】
この発明は上記目的を達成するために次のような構成とした。即ち、この発明の請求項１に係るプラスチック製パレットは、上部デッキボードが天板と天板の下面に設けた補強リブとからなり、フォーク差込口に面する少なくとも上部デッキボードの下面であって、デッキボード端縁と端縁に平行な横リブとの間に粘着テープを貼着するテープ貼着部を設けたことを特徴とする。また、請求項２に係るプラスチック製パレットは、前記テープ貼着部の貼着面が上部デッキボードの天板とほぼ平行な水平面に形成されていることを特徴とする。また、請求項３に係るプラスチック製パレットは、前記テープ貼着部の貼着面が上部デッキボードの天板に対して上部デッキボード端縁部の傾斜面と同じかまたは小さな角度の傾斜面で形成されていることを特徴とする。また、請求項４に係るプラスチック製パレットは、前記テープ貼着部がリブにより形成されていることを特徴とする。また、請求項５に係るプラスチック製パレットは、一方向の側面に平行な端部支柱部及びその中間に設けた中間支柱部を有する二方向からフォークの差し込みが可能な二方差しパレットであって、フォーク差込口に面する少なくとも上部デッキボードの端縁と端縁に平行な横リブとの間にテープ貼着部を設けるとともに、上部デッキボードの上面に開口する手掛け孔を設けたことを特徴とする。また、請求項６に係るプラスチック製パレットは、前記手掛け孔が端部支柱部を貫通する透孔によって形成されていることを特徴とする。
【０００９】
【発明の実施の形態】
以下に、この発明を図示する実施形態について詳細に説明する。図１は二方差しタイプのパレットであって、上部デッキボード１０と下部デッキボード１１とを一方向の側面に平行な端部の支柱部１３及びその中間に設けた中間支柱部１５で連結してなり、上下デッキボード１０、１１と支柱部１３及び中間支柱部１５で囲まれた空隙をフォーク差込口１７としている。上記パレットは予め分割成形した上部品と下部品とを支柱部において突き合わせ溶着してなり、支柱部は中空構造とされている。
【００１０】
前記上部デッキボード１０及び下部デッキボード１１の中間支柱部１５近傍にはこの発明の特徴であるテープ貼着部１９が設けられており、さらに、端部支柱部１３の上下デッキボードの部分には、手掛け孔２０が設けられている。前記パレットの上部デッキボード１０と下部デッキボード１１は、天板２１と前記天板２１の下面に設けたフォーク差込方向と平行な縦リブ２３とフォーク差込方向に直交する横リブ２５とからなる。前記横リブ２５のうち天板２１の端縁に位置する横リブ２５ａは、その内側の横リブ２５よりも高さが低く形成されている。一方、縦リブ２３は、横リブ２５ａとその内側の横リブ２５との間において間隔を狭く形成されており、さらに、前記横リブと高さを同じくするために傾斜している（図３参照）。このように、デッキボードの端縁部を傾斜面とすることによってフォークの差し込みが容易になる。
【００１１】
前記テープ貼着部１９は、中間支柱部１５と縦リブ２３及び横リブ２５に囲まれた部分であって、天板２１の部分を端縁リブ２５ａの高さと同じ肉厚とし、テープの剥離を容易にするための小孔２７を複数穿設することによって形成されている。そして、テープ貼着部の貼着面２８が上部デッキボードの天板とほぼ平行な水平面に形成されている。テープ貼着部１９の間口方向の幅寸法は、使用する粘着テープの幅寸法よりも広いが、フォークの幅寸法よりも狭く形成することが好ましい。このように、縦リブ２３を除去しテープ貼着部の貼着面２８を水平面として直接貼着可能としたから、貼着面積が大きくなるとともに、フォークの当接を防止することができる。フォークリフトによる運搬作業においても、フォークは縦リブ２３の傾斜面によって案内されて差し込まれるから、粘着テープに当接することがなく、したがって、粘着テープを剥離することがない。尚、前記テープ貼着部１９は、端縁の横リブ２５ａの高さと同じ厚さの肉厚としたが、前記端縁の横リブ２５ａを除去し天板２１の厚さとしてもよい。
【００１２】
次いで、図４及び図５に基づいてテープ貼着部の第２実施形態について説明する。テープ貼着部２９は、中間支柱部１５と縦リブ２３及び横リブ２５に囲まれた部分であって、端縁の横リブ２５ａを除去した天板２１の下面に格子状リブ３０を設けてなり、前記格子状リブ３０の内部における天板２１は透孔３１により貫通させ、格子状リブ３０の先端面を傾斜とした貼着面３３とすることによって形成されている。このように、端縁の横リブ２５ａを除去し天板２１に格子状リブ３０を設けた場合には、格子状リブ３０の貼着面３３が縦リブ２３の端部の傾斜面よりも大きくなり、フォークは縦リブ２３に当接し粘着テープに直接当接することがないから、粘着テープの剥離が防止される。
【００１３】
尚、前記貼着面３３を上記とは反対に上部デッキボードの天板２１に対して縦リブ２３の端部の傾斜面と同じか、小さい角度の傾斜面に形成した場合には、端縁リブ２５ａの内側の横リブ２５よりも低く形成されるから、フォークは縦リブ２３の傾斜面に当接して案内され粘着テープに当接することがない。また、天板２１の肉厚よりも厚く形成して格子状リブ３０を設けた場合には、貼着面３３の角度をデッキボード端縁部の傾斜面（縦リブ２３の傾斜面）よりも小さく形成すればよい。
【００１４】
図６は、テープ貼着部の第３実施形態を示すもので、テープ貼着部３９は、上記第２実施形態における格子状リブ３０を平行リブ３５に代え、透孔３１を省略したものである。前記平行リブ３５の先端面を傾斜した貼着面３７とする構成の他、貼着面３７の角度を任意に変更したり、天板の肉厚を厚くして平行リブ３５を設けることができることなど、前記第２実施形態と同様である。この実施形態においても、フォーク差込の際にはフォークは縦リブ２３に当接するから粘着テープを剥離することがない。尚、前記テープ貼着部は、上記実施形態ではいずれも中間支柱部１５に隣接して設けたが、フォーク差込口に面するデッキボードの端縁部分であればその位置を限定するものではない。また、上記実施形態を適宜組み合わせることは可能である。
【００１５】
図７及び図８は、手掛け孔２０の構成を示す。手掛け孔２０は、端部支柱部１３の任意の位置に上部デッキボード１０の天板２１から下部デッキボード１１に貫通し、平面長方形状の透孔２０ａを設け、前記透孔２０ａの長手方向の内面端縁に突出部２０ｂを設けてなる。前記透孔２０ａに手を差し入れてパレットを操作することができ、突出部２０ｂに指を係止させることによって力が入れ易く確実に把持することができる。前記手掛け孔２０を構成する透孔２０ａは手が差し込み可能な大きさであれば方形状に限らず、楕円形状であってもよい。また、前記突出部２０ｂの大きさは適宜決定することができる。
【００１６】
尚、前記突出部２０ｂは省略することが可能であり、内面ストレートな透孔２０ａとしてもよい。また、前記手掛け孔２０は、上部デッキボード１０に開口する構成であれば必ずしも実施形態のように端部支柱部１３を貫通する透孔によることなく、フォーク差込口１７に位置する上部デッキボード１０の位置に設けてもよい。この場合には、手掛け孔２０の下面はフォーク差込口に開口することになる。
【００１７】
【発明の効果】
この発明に係るプラスチック製パレットは、デッキボードの内面にテープ貼着部を設けたから粘着テープの粘着力を十分保持できるばかりでなく、フォークが当接することがなく粘着テープが不用意に剥離することがない。また、デッキボードの上面に開口する手掛け孔を設けたから手を差し込むことができ、手を引っかけて持ち上げたり、ずらしたりすることができ、パレットの整理、保管作業を能率良く、しかも安全に行うことができる。また、積み重ねられたパレットが壁面等に当接したり、側面から手を入れる隙間がない場合にもパレットを持ち上げることができる。
【図面の簡単な説明】
【図１】この発明にかかるパレットの上面斜視図である。
【図２】上部デッキボードの内面を示す要部断面図である。
【図３】上部デッキボードにおけるテープ貼着部を示す部分拡大斜視図である。
【図４】同じく第２実施形態のテープ貼着部を示す部分拡大斜視図である。
【図５】同じく図４Ｂ−Ｂ線断面図である。
【図６】第３実施形態のテープ貼着部を示す部分拡大斜視図である。
【図７】図２Ａ−Ａ線断面図である。
【図８】手掛け孔を示す要部断面図である。
【図９】従来のパレットの使用例を示す説明用斜視図である。
【符号の説明】
１０  上部デッキボード
１１  下部デッキボード
１３  端部支柱部
１５  中間支柱部
１７  フォーク差込口
１９  テープ貼着部
２０  手掛け孔
２１  天板
２３  縦リブ
２５  横リブ
２５ａ  端縁の横リブ
２７  小孔
２８  貼着面
２９  テープ貼着部
３０  格子状リブ
３１  透孔
３３  貼着面
３５  平行リブ
３７  貼着面
３９  テープ貼着部
【図１】
0003903350.tif 000002
【図２】
0003903350.tif 000003
【図３】
0003903350.tif 000004
【図４】
0003903350.tif 000005
【図５】
0003903350.tif 000006
【図６】
0003903350.tif 000007
【図７】
0003903350.tif 000008
【図８】
0003903350.tif 000009
【図９】
0003903350.tif 000010